(57)【要約】      （修正有）【課題】分割型転がり軸受の製作時の無駄を排除し、一体化したときにおいても適切な真円度を有する外輪や内輪を得る手段を提供する。【解決手段】内周面に外輪軌道２ａを有する円周方向に分割した外輪２と、外周面に内輪軌道３ａを有する円周方向に分割した内輪３と、外輪軌道２ａと内輪軌道３ａとの間に配設された複数の転動体５と、転動体５を転動自在に保持する円周方向に分割した保持器４とを備えた分割型転がり軸受において、外輪２および内輪３を半分に切断して分割し、その分割面にそれぞれの切取代と同等の厚さを有する間装材８ａ，８ｂを間装する。【選択図】        図１
2005003166.tif 000002
【特許請求の範囲】
【請求項１】
内周面に外輪軌道を有する円周方向に分割した外輪と、外周面に内輪軌道を有する円周方向に分割した内輪と、前記外輪軌道と内輪軌道との間に配設された複数の転動体と、該転動体を転動自在に保持する円周方向に分割した保持器とを備えた分割型転がり軸受において、
前記外輪および内輪を半分に切断して分割し、その分割面にそれぞれの切取代と同等の厚さを有する間装材を間装したことを特徴とする分割型転がり軸受。
【請求項２】
請求項１において、
前記外輪軌道および内輪軌道に、前記間装材を間装する分割面の周囲を切欠いて凹部を形成したことを特徴とする分割型転がり軸受。
【発明の詳細な説明】
【０００１】
【発明の属する技術分野】
本発明は、鉄鋼設備、例えば鋼板等の連続鋳造設備の杵型ロール支持軸受やクランクシャフトの支持軸受等に用いられる分割型転がり軸受に関する。
【０００２】
【従来の技術】
一般に、連続鋳造設備の支持軸受は、軸に設けられた既設の部品等のために軸端から支持軸受を嵌合して組付けることができないため、２分割にした分割型転がり軸受を用いて軸の半径方向から挟んで組付けている。
【０００３】
このような従来の分割型転がり軸受は、外輪と内輪の間に円筒ころを配設した円筒ころ軸受の外輪と内輪と保持器を円周方向に分割し、外輪はその外輪外周面をキャリアに嵌合して分割部分を一体化し、内輪は回転軸に設けた周溝に嵌合固定すると共に、内輪の両側に内輪と一体に設けられた係止鍔部の外周面に円周方向に分割した締結リングを装着してその締結リングを接線方向に締付け、内輪の分割部分を一体化している（例えば、特許文献１参照。）。
【０００４】
そして上記のような２分割した部品を一体として用いる円環状の部品を製作する場合、例えば保持器の場合は、２つの真円環状保持器を用い、カッターの切取代を考慮してそれぞれ一方が真半円環状となるように切断し、２つの保持器から１つの分割された真円環状保持器を得るようにし、切断した他方の略半円環状の保持器は廃棄している。
【０００５】
または、一つの真円環状保持器を真半分切断し、その切断面に弾性や耐熱性を有する材料、例えばポリテトラフルオロエチレン等のコーティング材を塗布してカッターの切取代を補い、僅かに残る隙間を許容して一体として用いる円環状保持器を製作している（例えば、特許文献２参照。）。
【０００６】
【特許文献１】
特開平１３−２５９７１７号公報（第３頁
【００１０】、第１図）
【特許文献２】
実開平６−６７４６号公報（第５頁
【０００８】、第９図および第７−８頁
【００１８】−
【００２２】、第３図）
【０００７】
【発明が解決しようとする課題】
しかしながら、上述した従来の技術においては、分割型転がり軸受の外輪や内輪を製作する場合に、それぞれ２つの真円環状の外輪や内輪を切断して一つの分割された真円環状の外輪や内輪を製作すると、真半円環状に切断しなかった部分は廃棄することになり、多大な無駄を生じるという問題がある。
【０００８】
また、一つの真円環状の外輪や内輪を真半分切断し、その切断面にコーティング材を塗布し、僅かに残る隙間を許容して一体として用いているため、外輪や内輪のように一体化としたときにその外輪軌道や内輪軌道の真円度が重要な部品は、比較的軟らかい弾性を有するコーティング材を挟んで一体化した場合の真円度の低下や僅かな隙間の存在を許容することができないという問題がある。
【０００９】
本発明は、上記の問題点を解決するためになされたもので、製作時の無駄を排除し、一体化したときにおいても適切な真円度を有する外輪や内輪を得る手段を提供することを目的とする。
【００１０】
【課題を解決するための手段】
本発明は、上記課題を解決するために、内周面に外輪軌道を有する円周方向に分割した外輪と、外周面に内輪軌道を有する円周方向に分割した内輪と、前記外輪軌道と内輪軌道との間に配設された複数の転動体と、該転動体を転動自在に保持する円周方向に分割した保持器とを備えた分割型転がり軸受において、前記外輪および内輪を半分に切断して分割し、その分割面にそれぞれの切取代と同等の厚さを有する間装材を間装したことを特徴とする。
【００１１】
【発明の実施の形態】
以下に、図面を参照して本発明による分割型転がり軸受の実施の形態について説明する。
図１は本発明の実施の形態を示す断面図、図２はその外輪を示す斜視図、図３はその内輪を示す斜視図、図４はその保持器を示す斜視図ある。
【００１２】
図１、図２、図３、図４において、１は分割型転がり軸受としての分割型円筒ころ軸受である。
２は外輪であり、合金鋼等の鋼材で真円環状に成形した後、図５に示すようにカッター等の切断手段の切取代を両側に均等に配分して円周方向に真半分に分割して製作され、その外輪内周面に分割型円筒ころ軸受１の外輪軌道２ａが設けられ、その外輪外周面は円筒面に成形されて図示しないキャリア等に嵌合する。
【００１３】
３は内輪であり、合金鋼等の鋼材で真円環状に成形した後、外輪２と同様にして円周方向に真半分に分割して製作され、その内輪外周面に分割型円筒ころ軸受１の内輪軌道３ａが設けられ、その内輪内周面は円筒面に成形されて図示しない回転軸等に嵌合する。
【００１４】
また、内輪３にはその両側の端面を分割型円筒ころ軸受１の全幅に渡って伸張させて一体に成形した係止鍔部３ｂが設けられている。
４は保持器であり、金属材料や樹脂材料等で成形され、転動体としての円筒ころ５を転動自在に保持するためのポケット４ａが設けられており、ポケット４ａを隔絶して円筒ころ５の接触を防止するための保持器柱４ｂを有している。
【００１５】
そして、真円環状に成形した後に保持器柱４ｂにおいて外輪２と同様にして円周方向に真半分に分割して製作される。
円筒ころ５は、合金鋼等の鋼材で製作され、外輪２に設けた外輪軌道２ａとこれに対向する内輪３に設けた内輪軌道３ａとの間に転動自在に複数配設されており、互いの接触を防止するために保持器４のポケット４ａに挿入されて所定のピッチで保持される。
【００１６】
６は締結リングであり、円周方向に２分割されて合金鋼等の鋼材で製作され、内輪３に設けられた係止鍔部３ｂに嵌合し、締結ボルト７により分割された締結リング６を接線方向に締付けて分割された内輪３を一体に締結する。
８ａ、８ｂ、８ｃは間装材であり、それぞれ分割された外輪２や内輪３、保持器４と同等の材料で製作され、それぞれの分割面９ａ、９ｂ、９ｃと同等の形状に成形されてそれぞれを切断した切取代と同等の厚さを有しており、それぞれの対向する分割面９ａ、９ｂ、９ｃの間に間装される。
【００１７】
また、間装材８ａ、８ｂ、８ｃの外輪２や内輪３、保持器４の外周面側の端部は、それぞれの外周面の半径と同等の半径を有する円弧面またはぞれぞれの分割面９ａ、９ｂ、９ｃと外周面との角部から外側に食み出さないような平面に成形する。
【００１８】
更に、間装材８ａ、８ｂ、８ｃの外輪軌道２ａや内輪軌道３ａおよび保持器４の内周面側の端部は、それぞれの面の半径と同等の半径を有する円弧面または切取代の仮想されるその半径位置から中心側に食み出さないような平面に成形する。
【００１９】
なお、外輪２や内輪３に間装する間装材８ａ、８ｂに用いる材料は、上記の外輪２や内輪３と同等の材料に限らず、鋼材等の金属材料であってもよく、締結時にその締付け力による変位を無視できる程度の剛性を有する材料であればどのような材料であってもよい。例えば光硬化樹脂を含有した材料、紫外線硬化樹脂を含有した材料または熱収縮量を考慮した上で銀ロー等を溶融したもの等である。
【００２０】
また、間装材８ａ、８ｂ、８ｃは１枚である必要はなく、それぞれ複数を合せて上記の厚さとした間装材８ａ、８ｂ、８ｃであってもよい。
１０は、外輪２の外輪軌道２ａに設けた凹部であり、図６に示すように対向する分割面９ａに間装材８ａを間装して一体化させた外輪２の分割面９ａの周囲を略円弧状または対向する分割面９ａの角部を面取状に切欠き、窪ませて形成した凹部であって、外輪軌道２ａの全幅に渡って設けられる。
【００２１】
１１は、内輪３の内輪軌道３ａに設けた凹部であり、図７に示すように対向する分割面９ｂに間装材８ｂを間装して一体化させた内輪３の分割面９ｂの周囲を略円弧状または対向する分割面９ａの角部を面取状に切欠き、窪ませて形成した凹部であって、内輪軌道３ａの全幅に渡って設けられる。
【００２２】
上記の構成の作用について説明する。
真半分に切断されて分割された外輪２、内輪３、保持器４を一体とする場合は、それぞれの分割面９ａ、９ｂ、９ｃに切断時に発生したバリ、カエリ等を除去した後に対向する分割面９ａ、９ｂ、９ｃの間に間装材８ａ、８ｂ、８ｃを間装して一体化する。
【００２３】
この時、間装材８ａ、８ｂ、８ｃが、切断により切取られた切取代と同等の厚さを有しているので、切取代を補ってそれぞれの分割面９ａ、９ｂ、９ｃが当接した時に外輪２や内輪３、保持器４の真円度を適切に維持する。
また、外輪軌道２ａや内輪軌道３ａに形成する凹部１０、１１は、上記のようにして外輪２や内輪３を一体化した後または一体化する前に、研磨等の手段により切欠いて形成する。
【００２４】
なお、上記実施の形態においては、外輪２等の切断手段としてカッター等を用いると説明したが、切断手段として研磨剤を含有したウォータジェット等を用いることにより、切断に伴う残留応力や変形の発生を無視できる程度とすることができる。
【００２５】
また、外輪２等の切断は真半分に切断するとして説明したが、略半分に切断しても、間装材８ａを間装することにより上記と同様の真円度を維持することができる。
以上説明したように、本実施の形態では、真半分に切断して分割した外輪および内輪の分割面に、それぞれの切取代と同等の厚さを有する間装材を間装するようにしたことによって、分割された外輪および内輪の外輪軌道や内輪軌道の真円度を維持することが可能となり、一体化した後の仕上げ加工等を行うことなく、適切な真円度を有する外輪や内輪を得ることができると共に製作時の無駄を排除することができる。
【００２６】
また、外輪軌道および内輪軌道に間装材を間装した外輪や内輪の分割面の周囲を切欠いて凹部を形成するようにしたことによって、円筒ころが通過する際の荷重を軽減することができ、間装材の近傍の強度を維持することができる。
【００２７】
【発明の効果】
以上述べたように、本発明は、半分に切断して分割した外輪および内輪の分割面に、それぞれの切取代と同等の厚さを有する間装材を間装するようにしたことによって、分割された外輪および内輪の真円度を維持することが可能となり、製作時の無駄を排除して適切な真円度を有する外輪や内輪を得ることができるという効果が得られる。
【図面の簡単な説明】
【図１】本発明の実施の形態を示す断面図
【図２】本発明の実施の形態の外輪を示す斜視図
【図３】本発明の実施の形態の内輪を示す斜視図
【図４】本発明の実施の形態の保持器を示す斜視図
【図５】本発明の実施の形態の外輪の切断箇所を示す説明図
【図６】本発明の実施の形態の外輪の組立状態を示す説明図
【図７】本発明の実施の形態の内輪の組立状態を示す説明図
【符号の説明】
１    分割型円筒ころ軸受
２    外輪
２ａ  外輪軌道
３    内輪
３ａ  内輪軌道
３ｂ  係止鍔部
４    保持器
４ａ  ポケット
４ｂ  保持器柱
５    円筒ころ
６    締結リング
７    締結ボルト
８ａ、８ｂ、８ｃ  間装材
９ａ、９ｂ、９ｃ  分割面
１０、１１  凹部
【図１】
2005003166.tif 000003
【図２】
2005003166.tif 000004
【図３】
2005003166.tif 000005
【図４】
2005003166.tif 000006
【図５】
2005003166.tif 000007
【図６】
2005003166.tif 000008
【図７】
2005003166.tif 000009